(57)【要約】【課題】データセンターへの生活情報データの送信が同一時間帯に集中しない生活見守りシステムの提供。【解決手段】上記課題は、被生活者見守り用の端末装置２から被生活見守り者の生活情報データをデータセンター３に送信し、その送信されてきた生活情報データをデータセンター３で電子メールにして、その電子メールを生活見守り者用情報入手機器６に送信する生活見守りシステムにおいて、端末装置２からデータセンター３への生活情報データの送信を、データセンター３からのデータ送出要求によって行うようにすることによって、達成できる。【選択図】図１
2005173992.tif 000002
【特許請求の範囲】
【請求項１】
生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備え、前記端末装置から前記データセンターへの生活情報データの送信を、前記データセンターからのデータ送出要求によって行うように構成したことを特徴とする生活見守りシステム。
【請求項２】
前記生活情報データに基づき作成した電子メールを、前記生活見守り者用情報入手機器に送信するようにしたことを特徴とする請求項１記載の生活見守りシステム。
【請求項３】
前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターとの間で前記第１電気通信回線手段を利用して各種のデータを送受信する端末装置用データ送受信手段と、前記生活状態判定装置、端末装置用格納手段及び端末装置用データ送受信手段を制御する制御手段とを備えた構成にすると共に、前記データセンターは、前記端末装置の端末装置用データ送受信手段との間で各種のデータを送受信するデータセンター用データ送受信手段と、このデータセンター用データ送受信手段に送信されてきた前記生活情報データを格納し、かつ、その前記生活情報データに基づき作成した電子メールを前記第２電気通信回線手段により前記生活見守り者用情報入手機器に送信する機能を少なくとも有する見守りサーバとを備えた構成にし、しかも、多数の端末装置に対してそれぞれ異なった時間の制御タイミング信号を生成するデータ収集スケジューリング手段を前記見守りサーバに設け、このデータ収集スケジューリング手段が生成した制御タイミング信号を前記データセンター用データ送受信手段から送信して、その制御タイミング信号を前記端末装置用データ送受信手段が受信することに呼応して前記端末装置用格納手段に格納されている前記生活情報データを前記端末装置用データ送受信手段により前記データセンターに送信して前記見守りサーバに格納する構成にしたことを特徴とする請求項１記載の生活見守りシステム。
【請求項４】
生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、前記端末装置用格納手段及び前記端末装置用データ送受信手段を制御するため端末プログラムを内蔵した制御手段を備えた構成にすると共に、前記データセンターは、前記端末装置の端末装置用データ送受信手段との間で各種のデータを送受信するデータセンター用データ送受信手段と、前記データセンター用データ送受信手段に送信されてきた前記生活情報データ及び前記端末装置の端末プログラムに替えて更新しようとする新たな端末プログラムを格納する機能並びに前記生活見守り者用情報入手機器に送信する電子メールを前記生活情報データに基づき作成する機能を少なくとも有する見守りサーバとを備えた構成にし、しかも、前記見守りサーバから前記新たな端末プログラムを、データセンター用データ送受信手段により前記端末装置用データ送受信手段に送信すると共に、前記端末装置用データ送受信手段による前記新たな端末プログラムの受信に呼応して、前記制御手段の端末プログラムを前記新たな端末プログラムに入れ替える構成にしたことを特徴とする生活見守りシステム。
【請求項５】
前記新たな端末プログラムの前記端末装置用データ送受信手段への送信を、前記活動情報検知手段からの検知データの出力の少ない時間帯に行うように構成にしたことを特徴とする請求項４記載の生活見守りシステム。
【請求項６】
生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、端末装置用格納手段及び端末装置用データ送受信手段を制御する制御手段を備えた構成にすると共に、前記データセンターは、前記端末装置の端末装置用データ送受信手段との間で各種のデータを送受信するデータセンター用データ送受信手段と、このデータセンター用データ送受信手段に送信されてきた前記生活情報データ及び機能設定画面を格納し、かつ、その前記生活情報データに基づき作成した電子メールを前記第２電気通信回線手段により前記生活見守り者用情報入手機器に送信する機能を少なくとも有する見守りサーバとを備えた構成にし、しかも、前記生活見守り者用情報入手機器に前記データセンターの見守りサーバから呼び出した前記機能設定画面を表示させてその機能設定画面上で前記端末装置の動作設定値を新たに設定し、その新たな動作設定値を、前記データセンター用データ送受信手段により前記端末装置用データ送受信手段に送信すると共に、前記端末装置用データ送受信手段による前記新たな動作設定値の受信に呼応して前記端末装置の動作設定値を新たな動作設定値に変更するようにしたことを特徴とする生活見守りシステム。
【請求項７】
前記データセンター用データ送受信手段から送信されてきた前記新たな動作設定値を前記端末装置用格納手段に一旦格納しておくと共に、前記活動情報検知手段からの検知データの出力の少ない時間帯に、前記端末装置用格納手段から前記新たな動作設定値を取り出してその新たな動作設定値に前記端末装置の動作設定値を変更するようにしたことを特徴とする請求項６記載の生活見守りシステム。
【請求項８】
生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、前記端末装置用格納手段及び前記端末装置用データ送受信手段を制御する制御手段を備えた構成にすると共に、前記データセンターは、前記端末装置の端末装置用データ送受信手段との間で各種のデータを送受信するデータセンター用データ送受信手段と、このデータセンター用データ送受信手段に送信されてきた前記生活情報データに基づき作成した電子メールを前記第２電気通信回線手段により前記生活見守り者用情報入手機器に送信する機能を少なくとも有する見守りサーバとを備えた構成にし、しかも、前記端末装置に電源を投入することで、前記端末装置による見守り動作を開始したことの通知指令信号が、前記端末装置の端末装置用データ送受信手段から前記データセンターのデータセンター用データ送受信手段に前記第１電気通信回線手段によって送信されると、前記データセンターの見守りサーバに設けた機器監視手段によって、前記活動情報検知手段及び前記端末装置などの監視対象機器に関する稼動状態の監視が自動的に行われるように構成したことを特徴とする生活見守りシステム。
【請求項９】
前記監視対象機器の稼動状態が異常になると、前記機器監視手段から前記監視センターに対して故障発報を送信し、かつ、前記監視センターから最寄りの保守拠点に出動指令を送信することを可能にする構成にしたことを特徴とする請求項８記載の生活見守りシステム。
【発明の詳細な説明】
【技術分野】
【０００１】
本発明は、高齢者、身体障害者、単身赴任者などの被生活見守り者の生活を見守るのに好適な生活見守りシステムに関するものである。
【背景技術】
【０００２】
この種の従来技術として、高齢者などからなる被生活見守り者の、生活を見守る生活見守りシステムとしては、被生活見守り者の住居からその被生活見守り者の生活情報を情報センターに送信し、その情報センターの情報格納手段に被生活見守り者の生活情報を格納すると共に、その情報格納手段に格納された生活情報を電子メールで、情報センターから生活見守り者に送信するようにしたものが知られている（例えば、特許文献１参照）。
【特許文献１】特開２００２‐２５１６８６号公報（段落番号００９８〜０１０４、図１３）
【発明の開示】
【発明が解決しようとする課題】
【０００３】
しかしながら、上述従来技術では、第１に、被生活見守り者の生活情報を情報センターに送信するようにしているため、多数の被生活見守り者から同一時間帯に被生活見守り者の生活情報が情報センターに送信されてきた場合には、情報センターが過負荷状態になってしまうという問題がある。第２に、被生活見守り者の住居内に設置されるところの確認判定手段を内蔵した送信部等における機能設定の変更やプログラムの入れ替えをしたい場合に、その機能設定の変更を情報機器類に不慣れな被生活見守り者が行うと、誤って設定してしまったりすると共に、被生活見守り者の労力が甚大になってしまうという問題があり、また、機能設定の変更やプログラムの入れ替えを専門の技術者が被生活見守り者の住居に出張して行うようにすると、被生活見守り者あるいは被生活見守り者の家族などの生活見守り者が負担するところの生活見守りシステム使用に関する費用が割高になってしまうという問題がある。第３に、被生活見守り者の住居内に設置されるところの確認判定手段などが故障した場合には、その故障を即座に情報センターで把握することができず、その故障の対策が遅れてしまうという問題がある。
【０００４】
本発明の第１目的は、上述した従来技術にかんがみ、多数の被生活見守り者から同一時間帯に被生活見守り者の生活情報が送信されることがないようにした生活見守りシステムを提供することにある。
【０００５】
本発明の第２目的は、上述した従来技術にかんがみ、被生活見守り者の生活情報を入手するために、被生活見守り者の住居内に設置した端末装置のプログラムの入れ替えを、被生活見守り者の手を煩わすことなく、実行することのできる生活見守りシステムを提供することにある。
【０００６】
本発明の第３目的は、上述した従来技術にかんがみ、被生活見守り者の生活情報を入手するために、被生活見守り者の住居内に設置した端末装置の機能設定の変更を、被生活見守り者の手を煩わすことなく、実行することのできる生活見守りシステムを提供することにある。
【０００７】
本発明の第４目的は、上述した従来技術にかんがみ、被生活見守り者の生活情報を入手するために、被生活見守り者の住居内に設置した端末装置などに故障が発生したならば、その故障の対策を円滑に実行することを可能にする生活見守りシステムを提供することにある。
【課題を解決するための手段】
【０００８】
上記第１目的を達成するために、本発明は、生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備え、前記端末装置から前記データセンターへの生活情報データの送信を、前記データセンターからのデータ送出要求によって行うように構成したことを特徴としている。
【０００９】
このように構成した本発明は、多数の端末装置からデータセンターへの生活情報データの送信を、データセンターの負荷状態によって適宜に割り振ることができる。
【００１０】
上記第２目的を達成するために、本発明は、生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、前記端末装置用格納手段、及び前記端末装置用データ送受信手段を制御するため端末プログラムを内蔵した制御手段を備えた構成にすると共に、前記データセンターは、少なくとも、前記端末装置の端末装置用データ送受信手段との間で各種のデータを送受信するデータセンター用データ送受信手段と、前記データセンター用データ送受信手段に送信されてきた前記生活情報データ及び前記端末装置の端末プログラムに替えて更新しようとする新たな端末プログラムを格納する機能並びに前記生活見守り者用情報入手機器に送信する電子メールを前記生活情報データに基づき作成する機能を有する見守りサーバとを備えた構成にし、しかも、前記見守りサーバから前記新たな端末プログラムを、データセンター用データ送受信手段により前記端末装置用データ送受信手段に送信すると共に、前記端末装置用データ送受信手段による前記新たな端末プログラムの受信に呼応して、前記制御手段の端末プログラムを前記新たな端末プログラムに入れ替える構成にしたことを特徴としている。
【００１１】
このように構成した本発明は、データセンター側から新たな端末プログラムを端末装置に送信することで、端末装置を設置した生活者住居内の被生活見守り者が端末装置を操作しなくとも、端末装置側の端末プログラムを新たな端末プログラムに入れ替えられる。
【００１２】
上記第３目的を達成するために、本発明は、生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、端末装置用格納手段及び端末装置用データ送受信手段を制御する制御手段を備えた構成にすると共に、前記データセンターは、前記端末装置の端末装置用データ送受信手段との間で各種のデータを送受信するデータセンター用データ送受信手段と、このデータセンター用データ送受信手段に送信されてきた前記生活情報データ及び機能設定画面を格納し、かつ、その前記生活情報データに基づき作成した電子メールを前記第２電気通信回線手段により前記生活見守り者用情報入手機器に送信する機能を少なくとも有する見守りサーバを備えた構成にし、しかも、前記生活見守り者用情報入手機器に前記データセンターの見守りサーバから呼び出した前記機能設定画面を表示させてその機能設定画面上で前記端末装置の動作設定値を新たに設定し、その新たな動作設定値を、前記データセンター用データ送受信手段により前記端末装置用データ送受信手段に送信すると共に、前記端末装置用データ送受信手段による前記新たな動作設定値の受信に呼応して前記端末装置の動作設定値を新たな動作設定値に変更するようにしたことを特徴としている。
【００１３】
このように構成した本発明は、生活見守り者用情報入手機器で端末装置の動作設定値を新たに設定しその新たな動作設定値を、データセンター側から端末装置に送信することで、端末装置を設置した生活者住居内の被生活見守り者が端末装置を操作しなくとも、前記端末装置の動作設定値を新たな動作設定値に変更しえる。
【００１４】
上記第４目的を達成するために、本発明は、生活者住居内に設置された生活者見守り用の端末装置と、この端末装置から離れた場所に設置されたデータセンターと、生活者住居内にて生活を見守られる被生活見守り者の生活情報データを前記端末装置から前記データセンターに送信するための第１電気通信回線手段と、前記データセンターに送信されてきた被生活見守り者の生活情報データを、その被生活見守り者の関係者あるいは契約者などの生活見守り者に送信するための第２電気通信回線手段と、この第２電気通信回線手段により送信されてきた生活情報データを受信する生活見守り者用情報入手機器を少なくとも備えた生活見守りシステムにおいて、前記端末装置は、少なくとも、生活者住居内に設置した活動情報検知手段からの検知データに基づき生活者住居内における生活者の生活状態を判定する生活状態判定装置と、この生活状態判定手段の判定結果を生活情報データとして格納する端末装置用格納手段と、前記データセンターに前記第１電気通信回線手段を利用して各種のデータを送受信する端末装置用データ送受信手段と、前記生活状態判定装置、前記端末装置用格納手段及び前記端末装置用データ送受信手段を制御する制御手段を備えた構成にすると共に、前記データセンターは、前記端末装置の端末装置用データ送受信手段との間で各種のデータを送受信するデータセンター用データ送受信手段と、このデータセンター用データ送受信手段に送信されてきた前記生活情報データに基づき作成した電子メールを前記第２電気通信回線手段により前記生活見守り者用情報入手機器に送信する機能を少なくとも有する見守りサーバを備えた構成にし、しかも、前記端末装置に電源を投入することで、前記端末装置による見守り動作を開始したことの通知指令信号が、前記端末装置の端末装置用データ送受信手段から前記データセンターのデータセンター用データ送受信手段に前記第１電気通信回線手段によって送信されると、前記データセンターの見守りサーバに設けた機器監視手段によって、前記活動情報検知手段及び前記端末装置などの監視対象機器に関する稼動状態の監視が自動的に行われるように構成したことを特徴としている。
【００１５】
このように構成した本発明は、前記端末装置が作動すると、監視対象機器が監視されて、監視対象機器に異常が発生すれば、その異常を自動的に見つけることができる。
【発明の効果】
【００１６】
上記第１目的を達成する本発明によれば、多数の端末装置からのデータセンターへの生活情報データの送信が、同一時間帯に集中してしまうことを防止できるので、過負荷によるシステムダウンを阻止しえる生活見守りシステムを提供できた。
【００１７】
また、上記第２目的を達成する本発明によれば、被生活見守り者の住居内に設置した端末装置のプログラムの入れ替えを、情報機器類に不慣れな被生活見守り者や専門の技術者若しくは保守員などの手を煩わすことなく、被生活見守り者の住居内に設置した端末装置のプログラムの入れ替えを難なく行うことのできるので、プログラムの入れ替えを専門の技術者若しくは保守員に端末装置のプログラムの入れ替え作業を依頼しなくてもよく、被生活見守り者あるいは被生活見守り者の家族などの生活見守り者が負担するところの生活見守りシステム使用に関する費用が割高になるのを阻止しえると共に、被生活見守り者の労力が軽減する使い勝手のよい生活見守りシステムを提供できた。
【００１８】
また、上記第３目的を達成する本発明によれば、情報機器類に不慣れな被生活見守り者の手と煩わすことなく、被生活見守り者の住居内に設置した端末装置の機能設定の変更を難なく行うことのできるため、情報機器類に不慣れな被生活見守り者が誤って端末装置の機能設定の変更をしてしまうことがなくなり、かつ、被生活見守り者の労力が軽減すると共に、生活見守り者が、何処にいても、生活見守り者用情報入手機器の表示画面にて端末装置の機能設定の変更を行うことができるという使い勝手のよい生活見守りシステムを提供できた。
【００１９】
また、上記第４目的を達成する本発明によれば、端末装置による見守り動作を開始すると、監視対象機器に関する稼動状態が監視されるので、監視対象機器の異常を自動的に見つけることが可能であって、安全性及び安心性が向上する生活見守りシステムを提供できた。
【発明を実施するための最良の形態】
【００２０】
以下、本発明に係る生活見守りシステムの実施形態を、図面に基づいて、説明する。
【００２１】
図１に示す一実施形態の生活見守りシステムは、生活者住居１内に設置された生活者見守り用端末装置２（以下、端末装置２と称する）と、この端末装置２から離れた場所に設置されたデータセンター３と、生活者住居１内にて生活を見守られる者（以下、被生活見守り者と称する）の生活情報データを、端末装置２からデータセンター３に送信するための無線パケット通信網などからなる第１電気通信回線手段４と、データセンター３に送信されてきた被生活見守り者の生活情報データを、その被生活見守り者の関係者あるいは契約者などの生活見守り者に送信するためのインターネットからなる第２電気通信回線手段５と、この第２電気通信回線手段５により送信されてきた生活情報データを受信する生活見守り者用情報入手機器６を、少なくとも備えている。ここで、被生活見守り者には、高齢者、身体障害者、単身赴任者などが含まれる。生活見守り者には、高齢者、身体障害者または単身赴任者の家族・親戚などの関係者や、高齢者、身体障害者または単身赴任者と生活見守りの契約を交わした契約者や、高齢者、身体障害者または単身赴任者の家族・親戚などの関係者と生活見守りの契約を交わした契約者などが含まれる。生活者住居１には、高齢者、身体障害者または単身赴任者が生活している一戸建て住宅、マンション、アパート、社宅または独身寮などが含まれる。生活見守り者用情報入手機器６には、電子メール受信機能を有する携帯電話機６ＡやＷＥＢプラウザを有するパソコン６Ｂなどが含まれる。
【００２２】
端末装置２は、図１に示すように、少なくとも、生活状態判定装置７と、無線装置８（以下、端末装置用データ送受信手段８と称する）と、生活状態判定手段７の出力を格納する端末装置用格納手段（図示せず）と、生活状態判定装置７、端末装置用格納手段及び端末装置用データ送受信手段８を制御する制御手段（図示せず）を備えている。生活状態判定装置７は、生活者住居内に設置した活動情報検知手段９からの検知データやカメラ１０から撮影画像データを用いて基づき生活者住居内における生活者の生活状態を判定する機能を有している。端末装置用格納手段には、生活状態判定装置７による判定の結果、得られた生活情報データを、検知データや撮影画像データと一緒に格納されるようにしてある。端末装置用データ送受信手段８は、データセンター３との間で第１電気通信回線手段４を利用して各種のデータを送受信する機能を有している。活動情報検知手段９は、ベッドの上に被生活見守り者が存在しているか不在であるか、換言すれば、ベッド上の在／不在によって、被生活見守り者の睡眠状況を検知するベッドセンサからなっており、このベッドセンサが検知した検知データを生活状態判定装置７に入力する機能を有している。カメラ１０は、デジタル式のカメラからなり、生活者住居１内における被生活見守り者の生活状況を撮影しその撮影によって得られる撮影画像データを生活状態判定装置７に入力する機能を有している。
【００２３】
データセンター３は、生活者住居１内における被生活見守り者の生活を見守るものであって、図１に示すように、少なくとも、無線装置１１（以下、データセンター用データ送受信手段１１と称する）と、見守りサーバ１２と、ルータ１３とを備えている。データセンター用データ送受信手段１１は、端末装置２の端末装置用データ送受信手段８の間で、各種のデータを送受信する機能を有している。各種のデータの送受信は、無線パケット通信網からなる第１電気通信回線手段４により、データセンター用データ送受信手段１１のアンテナ１１Ａと端末装置用データ送受信手段８のアンテナ８Ａとの間で行われる。見守りサーバ１２は、見守りＷＥＢサーバ１４、見守りバックエンド１５、メールサーバ１６、見守りデータベース１７及び機器監視手段１８などから構成されている。ルータ１３は、第２電気通信回線手段５やデータセンター用データ送受信手段１１や見守りサーバ１２に接続されている。見守りバックエンド１５は、見守りデータベース１７に格納されたデータを適宜データ処理した後、その処理後のデータを、見守りデータベース１７に出力する機能及び生活見守り者用情報入手機器６に送信する電子メールを作成する機能などを有している。見守りデータベース１７には、端末装置２の端末装置用データ送受信手段８からデータセンター用データ送受信手段１１に送信されてきた生活情報データを含む各種のデータや見守りバックエンド１５で適宜処理されたデータを格納する機能を有している。
【００２４】
メールサーバ１６は、電子メールを送信する機能を有している。メールサーバ１６から送信されてきた電子メールは、ルータ１３により、インターネットからなる第２電気通信回線手段５を介して生活見守り者用情報入手機器６の携帯電話機６Ａあるいはパソコン６Ｂに送信される。また、携帯電話機６Ａあるいはパソコン６Ｂからの見守りＷＥＢサーバ１４の閲覧は、図１に示すように、インターネットからなる第２電気通信回線手段５を介して行われるようにしてある。機器監視手段１８は、端末装置２、活動情報検知手段９などの監視対象機器の稼動状態を監視するものであって、それら稼動状態に故障があれば、故障発報を監視センター１９に送信する機能を有している。監視センター１９では、故障発報を受信すると、保守員が駐在している保守拠点２０に出動指令が送信される。機器監視手段１８から監視センター１９への故障発報の送信や監視センター１９から保守拠点２０への出動指令は、公衆回線や専用回線を用いること一般的であるが、インターネットを使用するようにしてもよい。なお、図１の図象では、１個の生活者住居１における端末装置２とデータセンター３との間で、無線パケット通信網からなる第１電気通信回線手段４により各種のデータが送受信されるようになっているが、多数の生活者住居１におけるそれぞれの端末装置２とデータセンター３との間で、第１電気通信回線手段４により各種のデータが送受信されるものとする。
【００２５】
生活者住居１内における被生活見守り者の生活情報に関する生活情報データは、図２に示すように、見守りバックエンド１５からのデータ送出要求５０に呼応して、端末装置２からデータセンター３に送信される。すなわち、データ送出要求５０の信号が、データセンター用データ送受信手段１１から第１電気通信回線手段４を介して端末装置２の端末装置用データ送受信手段８に送信されると、端末装置２の制御手段により、端末装置２の端末装置用格納手段に格納されている生活情報データが端末装置用データ送受信手段８に出力される。端末装置用データ送受信手段８に出力された生活情報データは、データセンター用データ送受信手段１１に送信されて、図２の矢印５１に示すように、見守りデータベース１７に格納される。これらの動作を、図３及び図４に基づき、次に、詳説する。
【００２６】
まず、始めに、見守りバックエンド１５は、初期化状態Ｓ１を終了させた後、多数の生活者住居１におけるそれぞれの端末装置２に予め割り当てられたデータ収集時間まで、開始待ち状態Ｓ２となる。その後、データ収集時間になると、当該生活者のデータ収集が完了しているか否かのチェック（以下、ユーザＣＨＫと称する）状態Ｓ３となる。ユーザＣＨＫが完了したならば、無線パケット通信網などからなる第１電気通信回線手段４を使用して端末装置２を呼び出して生活情報データの送出を要求する状態（以下、端末呼び状態と称する）Ｓ４にする。端末呼び状態Ｓ４のとき、第１電気通信回線手段４の混雑や端末装置の都合などにより、端末装置２の呼び出しが不成功（接続不可）ならば、端末呼び状態Ｓ４を停止する。その後、再度、端末呼び状態Ｓ４として、端末装置２の呼び出しが成功すると、端末装置２の端末装置用格納手段に格納されている生活情報データが端末装置用データ送受信手段８からデータセンター３のデータセンター用データ送受信手段１１に第１電気通信回線手段４により送信される状態（以下、データ伝送状態）Ｓ５になる。データ伝送状態Ｓ５になり、データセンター用データ送受信手段１１が生活情報データを受信すると、その生活情報データにつき見守りバックエンド１５で適宜データ処理した後、その生活情報データを見守りデータベース１７に格納する状態（以下、データ格納状態と称する）Ｓ６となる。データセンター用データ送受信手段１１が生活情報データを受信する途中で、その受信が不能になったとき（伝送障害のとき）は、データ伝送状態Ｓ５を終了させる。なお、初期化状態Ｓ１、開始待ち状態Ｓ２、ユーザＣＨＫ状態Ｓ３、端末呼び状態Ｓ４、データ伝送状態Ｓ５及びデータ格納状態Ｓ６の各状態のおける詳細な処理は、図４の処理内容のとおり行われる。
【００２７】
以上のように、生活情報データの収集、すなわち、端末装置２からデータセンター３への生活情報データの送信を、データセンター３における見守りバックエンド１５からのデータ送出要求５０によって行われるので、多数の端末装置２から同一時間帯に集中して、生活情報データがデータセンター３の見守りサーバ１２に送信させることがなく、見守りサーバ１２が高負荷状態になることを阻止できる。したがって、生活見守り者による生活見守りを必要とするところの被生活見守り者が増えてさらに多数の端末装置２を増設することにより、データセンター３に送信される生活情報データが増大したとしても、高価な見守りサーバ１２を増設しなく対応できる。見守りバックエンド１５からのデータ送出要求５０は、多数の端末装置２に対してそれぞれ異なった時間の制御タイミング信号を生成するデータ収集スケジューリング手段（図示せず）を設け、その制御タイミング信号を多数の端末装置２に対して送信することによって、行われるようにしてある。なお、見守りバックエンド１５からのデータ送出要求５０を、後述する電子メール発行などの処理と生活情報データの収集の処理とが重ならないようにしたり、あるいは、活動情報検知手段９により被生活見守り者の就寝状態を検知するようにしてある場合には、被生活見守り者が就寝しない時間帯に、行うようにしたりすることで、見守りサーバ１２の高負荷状態を避けるようにしている。
【００２８】
端末装置２に電源が投入されると、端末装置２による見守り動作を開始したことの通知指令信号が、端末装置２の端末装置用データ送受信手段８からデータセンター３のデータセンター用データ送受信手段１１に第１電気通信回線手段４によって、送信される。データセンター３に通知指令が送信されると、データセンター３の見守りバックエンド１５から動作開始指令が機器監視手段１８に入力されると、監視対象機器の稼動状態の監視が、機器監視手段１８によって、自動的に行われる。監視対象機器の稼動状態が異常になった場合、例えば、活動情報検知手段９の一つであるところの、被生活見守り者の睡眠状況を検知するベッドセンサから検知データが出力されていないとか、あるいは、見守りバックエンド１５からのデータ送出要求５０に対して端末装置２が応答しないとかの場合には、機器監視手段１８から監視センター１９に対して故障発報が送信されるので、監視センター１９から最寄りの保守拠点２０に対して出動指令を送信することで、最寄りの保守拠点２０に駐在する保守員を、監視対象機器の稼動状態の異常が発生さている生活者住居１に向わせて、直ちに監視対象機器の稼動状態の異常を解消させる対策を講じさせることができる。なお、端末装置２側に活動検知手段チェッカー（図示せず）を設けて、この活動検知手段チェッカーにより活動情報検知手段９の健全性を常時検出するようにすると共に、活動検知手段チェッカーから出力されるデータを、データセンター３側に設けた機器監視手段１８に送信し、しかも、機器監視手段１８で、活動検知手段チェッカーから出力されるデータに基づいて活動情報検知手段９の健全性を判定して、その判定結果を、監視センター１９に電子メールで、適宜に通知するようにしてもよい。
【００２９】
次に、活動情報検知手段９の一つであるベッドセンサからの検知データに基づき生活状態判定装置７により判定されるところの、被生活見守り者の生活状態の種別は、ベッド上に被生活見守り者が存在しているときにオン信号を、かつ、ベッドの上に被生活見守り者が不在のときにオフ信号を出力するようにして、そのオンオフ信号が出力される時刻とオンオフ信号が出力される時間長さなどにより定められる。すなわち、その種別は、図５のイベント名欄２１に示すように、単純離床、単純着床、通常離床、通常着床、異常離床、異常着床、未離床、未着床、有体動、通常睡眠時間、睡眠不足、睡眠過多の１２種類がある。これら１２種類の種別の詳細な内容あるいは判定値は、図５の定義欄２２あるいは規定値の基準値欄２３に示すとおりである。ここで、単純離床は、ベッド上に被生活見守り者が不在であることを、単純着床は、ベッド上に被生活見守り者が存在していることを、通常離床は、起床とみなせる程度の時間に亘ってベッド上に被生活見守り者が不在であることを、通常着床は、就寝とみなせる程度の時間に亘ってベッド上に被生活見守り者が存在していることを、未離床は、被生活見守り者の生活リズムから定められた時間に起床が行われていないことを、未着床は、被生活見守り者の生活リズムから定められた時間に就寝が行われていないことを、それぞれ示している。
【００３０】
ベッドセンサから検知データに基づき生活状態判定装置７により判定された被生活見守り者の生活状態の種別の内容は、図６の矢印６０で示すように、データセンター３の見守りサーバ１２に送信される。すなわち、生活状態判定装置７で判定された被生活見守り者の生活状態の種別の内容が端末装置用データ送受信手段８からデータセンター用データ送受信手段１１に、第１電気通信回線手段４によって、送信される。データセンター用データ送受信手段１１に送信されてきた被生活見守り者の生活状態の種別の内容は、見守りサーバ１２の見守りバックエンド１５に送信される。見守りバックエンド１５では、送信されてきた被生活見守り者の生活状態の種別の内容に基づき電子メールが作成される。電子メールが作成されると、図６の矢印６１で示すように、メールサーバ１６に入力される。メールサーバ１６に電子メールが入力されると、その電子メールが図６の矢印６２で示すように、ルータ１３により、メールサーバ１６から第２電気通信回線手段５を介して生活見守り者用情報入手機器６（生活見守り者が所有する携帯電話機６Ａやパソコン６Ｂなど）に送信される。生活見守り者用情報入手機器６に送信される電子メール例は、図７の（イ）、（ロ）、（ハ）のとおりである。図７の（イ）は、定刻通知メール例を、図７の（ロ）は、離床通知メール例を、図７の（ハ）は、未離床通知メール例を、それぞれ示している。
【００３１】
次に、生活見守り者が、生活見守り者用情報入手機器６の一つであるＷＥＢプラウザを有するパソコン６Ｂから見守りデータベース１７に格納された生活情報データのうち、被生活見守り者の就眠に関するデータを閲覧したいときには、パソコン６Ｂを使用して、図８の矢印７０のように、見守りＷＥＢサーバ１４にアクセスする。このアクセスに呼応して、見守りバックエンド１５では、見守りデータベース１７に格納されている被生活見守り者の就眠に関する生活情報データに基づき、例えば、被生活見守り者の就寝状況の週間推移グラフ２４を作成して、その就寝状況の週間推移グラフ２４を、パソコン６Ｂに送信させる。送信されてきた就寝状況の週間推移グラフ２４を、図９に示すように、パソコン６Ｂの表示画面に表示させることで、被生活見守り者の就眠状況を、生活見守り者が正確に確認することができる。生活見守り者は、就寝状況の週間推移グラフ２４を見て、睡眠時間が異常と判定した場合には、適宜に、被生活見守り者にその旨の連絡をしたり、あるいは医者や看護人に相談をしたりすることによって、被生活見守り者の睡眠時間の異常を早期に改善を図ることができる。なお、図９に示す就寝状況の週間推移グラフ２４は、零時を中央に位置させることで、就寝状況が把握し易いようにしてあると共に、寝たり起きたりしている時間帯も判るようにしてある。
【００３２】
次に、端末装置２の生活状態判定装置７の機能設定を変更した場合は、図１０に示す矢印８１のように、生活見守り者（契約者・関係者）は、パソコン６Ｂを操作して見守りＷＥＢサーバ１４の機能設定画面を呼び出して、パソコン６Ｂの表示画面に表示させる。パソコン６Ｂの表示画面には、呼び出された機能設定画面の一例として、図１１に示すような、２４時間見守りサービスの動作設定画面２５が表示される。図１１に示す２４時間見守りサービスの動作設定画面２５において、定時通知とは、通知時間で指定された時刻に、見守りデータベース１７に格納された生活情報データに基づき作成した「前日の就寝状況」に関するところの、図７の（イ）に示すような電子メールを、生活見守り者（契約者・関係者）に通知することをいう。即時通知とは、ベッドセンサからの検知データに基づき生活状態判定装置７により判定されるところの、被生活見守り者の生活状態の各種別の内容に基づき作成された電子メール、例えば、図７の（ロ）、（ハ）に示すような電子メールを、「有効」と設定されている場合にのみ、生活見守り者（契約者・関係者）に通知することをいう。
【００３３】
図１１に示す２４時間見守りサービスの動作設定画面２５上にて、定時通知若しくは即時通知の通知先、定時通知の通知時刻（通知時間）、被生活見守り者の生活状態の種別の内容（イベント名）、被生活見守り者の生活状況を撮影した画像を添付するか否か（画像添付）、または電子メールを送信するか否か（有効／無）などの動作設定値のいずれかを変更したならば、「設定する」をクリックすることで、２４時間見守りサービスの動作設定値が、変更した動作設定値に新たに設定される。新たに設定された動作設定値（以下、新たな動作設定値と称する）は、図１０に示す矢印８２のように、見守りデータベース１７に格納される。新たな動作設定値は、図１０に示す矢印８３のように、見守りデータベース１７から見守りバックエンド１５に入力される。見守りバックエンド１５からは、図１０に示す矢印８０のように、新たな動作設定値が端末装置２に送信されて、生活状態判定装置７の動作設定値が新たな動作設定値に変更されることで、生活状態判定装置７の機能が新しく設定される。ベッドセンサからの検知データに基づいて生活状態判定装置７が、被生活見守り者の生活状況判定する場合に判定値となる図５に示すところの規定時間や規定時刻も、上述した２４時間見守りサービスの動作設定における動作設定値変更と同様にして、変更することで、生活状態判定装置７の機能が新しく設定される。なお、データセンター用データ送受信手段１１から送信されてきた新たな動作設定値を、端末装置２の端末装置用格納手段に一旦格納しておき、活動情報検知手段９からの検知データの出力の少ない時間帯に、端末装置２の端末装置用格納手段から新たな動作設定値を取り出してその新たな動作設定値に端末装置２の動作設定値を変更するようにしてもよい。
【００３４】
次に、端末装置２の機能拡大などのために、端末装置２の端末プログラムを、機能拡大などを図るための新たな端末プログラムに入れ替える場合は、その新たな端末プログラムを、データセンター３の見守りデータベース１７に格納する。見守りデータベース１７に新たな端末プログラムが格納されると、見守りバックエンド１５からは、図１０に示す矢印８０のように、新たな端末プログラムが端末装置２に送信されて、端末装置２の端末プログラムが、新たな端末プログラムに入れ替えられる。この場合、データセンター３側から送信されてきた新たな端末プログラムを端末装置２の端末装置用格納手段に、一旦格納しておき、生活情報データの検出の少ない時間帯に、端末装置２の端末プログラムを、新たな端末プログラムに入れ替えるようにする。新たな端末プログラムの端末装置用データ送受信手段８への送信は、活動情報検知手段９からの検知データの出力の少ない時間帯に行うようにする。
【００３５】
上記一実施形態の生活見守りシステムによれば、第１に、生活情報データの収集は、データセンター３からのデータ送出要求５０により、しかも、そのデータ送出要求５０を、多数の端末装置２に対してそれぞれ異なった時間の制御タイミング信号を送信することで行われるようにしたので、多数の端末装置２から同一時間帯に集中して、生活情報データがデータセンター３の見守りサーバ１２に送信させることがなく、見守りサーバ１２が高負荷状態になることを阻止でき、生活見守り者による生活見守りを必要とするところの被生活見守り者が増えてさらに多数の端末装置２を増設することにより、データセンター３に送信される生活情報データが増大したとしても、高価な見守りサーバ１２を増設することなく対応できる。第２に、端末装置２に電源が投入されると、監視対象機器の稼動状態の監視が機器監視手段１８によって、自動的に行われて、監視対象機器の稼動状態が異常になった場合、機器監視手段１８から監視センター１９に対して故障発報がなされるので、監視センター１９からは最寄りの保守拠点２０に直ちに出動指令を送信させることが可能であって、最寄りの保守拠点２０に駐在する保守員を、監視対象機器の稼動状態の異常に直ちに対応させることができる。
【００３６】
さらに、上記一実施形態の生活見守りシステムによれば、第３に、生活見守り者は、被生活見守り者の生活情報データに基づき作成された電子メールを、自分が所有する携帯電話機６Ａやパソコン６Ｂに、適宜に受信して、被生活見守り者の生活状態を確認することができ、便利であり、かつ、安心であると共に、生活見守り者が電子メールの内容を見て、被生活見守り者との連絡や医者若しくは看護人との相談を、適切な時期に行うことができ、被生活見守り者の生活改善など早期に図ることができる。第４に、端末装置２の生活状態判定装置７の機能設定や端末装置２の端末プログラムの入れ替えを、データセンター３側から行うようにして、情報機器類に不慣れである高齢者、身体障害者、若しくは単身赴任者などの被生活見守り者が機能設定の変更や端末プログラムの入れ替えをしなくてもよいので、被生活見守り者の労力を大幅に省きことができ、しかも、情報機器類の不慣れにより、誤って機能設定をしてしまうなどの事故を防止できる。第５に、端末装置２の生活状態判定装置７の機能設定や端末装置２の端末プログラムの入れ替えを、データセンター３側から行うようにすることにより、端末装置２側に機能設定用の画面やスイッチを設けることが、不要となるため、端末装置２を安価なものにすることができるなどの利点が得られる。
【００３７】
次に、変形例を、図１２〜図１６に基づいて、説明する。図１２〜図１６において、図１と同一符号は、同一内容を表している。図１２の生活見守りシステム変形例その１は、電子メールを使用せずに、生活見守り者が、被生活見守り者の生活状態を確認することができるように構成し、かつ、機器監視手段を省くようにしたものであり、それ以外は、一実施形態の生活見守りシステムと同一である。生活見守りシステム変形例その１では、生活見守り者のうちの、被生活見守り者の家族・親戚などの関係者の住居２６（以下、関係者住居２６と称する）内に、音合成装置２７、光合成装置２８、匂い合成装置２９及びインターネットからなる第２電気通信回線手段５に接続される現示制御装置３０を設置する。現示制御装置３０には、音合成装置２７、光合成装置２８及び匂い合成装置２９を接続する。
【００３８】
そして、現示制御装置３０は、データセンター３のメールサーバ１６から第２電気通信回線手段５を介して送信されてくる電子メールの内容を解釈して、音合成装置２７、光合成装置２８及び匂い合成装置２９に指令を出力し、その指令に基づいて任意の音、光、若しくは香りを合成させ、その合成した音、光、若しくは香りを関係者住居２６内に放出するようにしてある。例えば、電子メールの内容が被生活見守り者の生活状態が問題でないと解釈した場合には、無音、緑色若しくはさわやかな香りが合成され、かつ、電子メールの内容が被生活見守り者の生活状態が問題であると解釈した場合には、警戒音、赤色若しくは異臭が合成されるようにしてある。したがって、関係者住居２６内で、関係者が音、光、若しくは香りを確認することで、被生活見守り者の生活状態に問題が有ったか無かったかを、電子メール無しでも、知ることができる。よって、生活見守りシステム変形例その１によれば、電子メールを操作することのできない生活見守り者に、被生活見守り者の生活状態を知らせるのに、便利である。なお、現示制御装置３０は、任意の音、光、若しくは香りを合成する構造としたが、この構造に限定されるものではなく、電子メールの内容に応じて動きを変えるようにしたロボット構造としてもよい。
【００３９】
次に、図１３の生活見守りシステム変形例その２は、現示制御装置３０に現示制御装置用データ送受信手段を設けて、その現示制御装置用データ送受信手段のアンテナ３１とデータセンター３におけるデータセンター用データ送受信手段１１のアンテナ１１Ａとの間で、無線パケット通信網３２により、データの送受信が行われるようにしたものであり、これ以外の点は、図１２の生活見守りシステム変形例その１と同一である。図１３の生活見守りシステム変形例その２でも、図１２の生活見守りシステム変形例その１と同様の効果を奏しえる。
【００４０】
次に、図１４の生活見守りシステム変形例その３は、活動情報検知手段９による検知データを、活動情報検知手段９に接続した無線送信機３３で送信し、かつ、端末装置２の生活状態判定装置７に接続した無線受信機３４で受信することによって、その活動情報検知手段９よる検知データを生活状態判定装置７に入力するようにしたものであり、これ以外の点は、図１に示す一実施形態の生活見守りシステムと同一である。図１３の生活見守りシステム変形例その３によれば、生活者住居１内における端末装置２と活動情報検知手段９との配線ケーブルを無くすことができるので、被生活見守り者用ベッドの配置が制約されたり、あるいは被生活見守り者の移動の邪魔になったりすることがない。
【００４１】
次に、図１５の生活見守りシステム変形例その４は、端末装置２の端末装置用データ送受信手段８に代えて、端末装置用ルータ３５を設け、かつ、データセンター３のデータセンター用データ送受信手段１１を取り除き、端末装置２とデータセンター３を、インターネットからなる第２電気通信回線手段５に接続するようしたものであり、これ以外の点は、図１に示す一実施形態の生活見守りシステムと同一である。図１５の生活見守りシステム変形例その４によれば、通信費の軽減化を図りえる。
【００４２】
次に、図１６の生活見守りシステム変形例その５は、データセンター３内に
見守りＷＥＢサーバ１４、見守りバックエンド１５及びメールサーバ１６からなる第１見守りサーバ３６とこの第１見守りサーバ３６と同一構造の第２見守りサーバ３７を設けると共に、データセンター用データ送受信手段１１と同一構造である第２のデータセンター用データ送受信手段３８及びデータセンター用データ送受信手段３８用のアンテナ３８Ａを設けるようにしたものであり、第１見守りサーバ３６、第２見守りサーバ３７及び見守りデータベース１７は、センターオペレータ室３９に接続されている。図１６の生活見守りシステム変形例その５によれば、第１見守りサーバ３６が故障したり、あるいはメンテナンスしたりしても、第２見守りサーバ３７を作動させるようにすることで、被生活見守り者の生活状況を継続して見守ることができ、便利である。
【００４３】
上記の一実施形態の生活見守りシステム及び各生活見守りシステム変形例では、活動情報検知手段９としては、ベッド上の在／不在によって、被生活見守り者の睡眠状況を検知するベッドセンサを用いているが、これに限定されない。活動情報検知手段９を、被生活見守り者の呼吸数、心拍数、いびきなどを検知する活動センサとし、この活動センサが検知した検知データを生活状態判定装置７に入力するようにしてもよい。
【図面の簡単な説明】
【００４４】
【図１】本発明の一実施形態を示し、生活見守りシステムの機能ブロック図である。
【図２】本発明の一実施形態に係わる生活見守りシステムによるデータ収集時のデータ流れを示す概略説明図である。
【図３】本発明の一実施形態に係わる生活見守りシステムによるデータ収集時の見守りサーバの状態遷移説明図である。
【図４】本発明の一実施形態に係わる生活見守りシステムによるデータ収集時の見守りサーバの各状態における処理内容の説明図である。
【図５】本発明の一実施形態に係わる生活見守りシステムによって判定される被生活見守り者の生活状態の種別の内容の説明図である。
【図６】本発明の一実施形態に係わる生活見守りシステムによって電子メールを送信する場合のデータ流れを示す概略説明図である。
【図７】本発明の一実施形態に係わる生活見守りシステムによる電子メールであって、（イ）は定刻通知メール例を、（ロ）は離床通知メール例を、（ハ）は未離床メール例を、それぞれ示す図である。
【図８】本発明の一実施形態に係わる生活見守りシステムの見守りデータベースに格納された生活情報データを閲覧する場合のデータ流れを示す概略説明図である。
【図９】本発明の一実施形態に係わる生活見守りシステムにおける生活見守り者のパソコンから見守りＷＥＢサーバにアクセスすることで、生活見守り者のパソコンの表示画面に表示された被生活見守り者の就寝状況の週間推移グラフを示す図である。
【図１０】本発明の一実施形態に係わる生活見守りシステムにより、端末装置の機能設定の変更若しくは端末プログラムの入れ替えする場合のデータ流れを示す概略説明図である。
【図１１】本発明の一実施形態に係わる生活見守りシステムによって生活見守り者のパソコンの表示画面に呼び出された機能設定画面図である。
【図１２】本発明の変形例その１を示す生活見守りシステムの機能ブロック図である。
【図１３】本発明の変形例その２を示す生活見守りシステムの機能ブロック図である。
【図１４】本発明の変形例その３を示す生活見守りシステムの機能ブロック図である。
【図１５】本発明の変形例その４を示す生活見守りシステムの機能ブロック図である。
【図１６】本発明の変形例その５を示す生活見守りシステムの機能ブロック図である。
【符号の説明】
【００４５】
１    生活者住居
２    端末装置
３    データセンター
４    第１電気通信回線手段
５    第２電気通信回線手段
６    生活見守り者用情報入手機器
７    生活状態判定装置
８    端末装置用データ送受信手段（無線装置）
９    活動情報検知手段
１０  カメラ
１１  データセンター用データ送受信手段（無線装置）
１２  見守りサーバ
１３  ルータ
１４  見守りＷＥＢサーバ
１５  見守りバックエンド
１６  メールサーバ
１７  見守りデータベース
１８  機器監視手段
１９  監視センター
２０  保守拠点
２１  イベント名欄
２２  定義欄
２３  規定値の基準値欄
２４  就寝状況の週間推移グラフ
２５  ２４時間見守りサービスの動作設定画面
【図１】
2005173992.tif 000003
【図２】
2005173992.tif 000004
【図３】
2005173992.tif 000005
【図４】
2005173992.tif 000006
【図５】
2005173992.tif 000007
【図６】
2005173992.tif 000008
【図７】
2005173992.tif 000009
【図８】
2005173992.tif 000010
【図９】
2005173992.tif 000011
【図１０】
2005173992.tif 000012
【図１１】
2005173992.tif 000013
【図１２】
2005173992.tif 000014
【図１３】
2005173992.tif 000015
【図１４】
2005173992.tif 000016
【図１５】
2005173992.tif 000017
【図１６】
2005173992.tif 000018